(57)【要約】 【課題】  流水検知装置の異常によって非常放送が行われるのを防止し、確実に火災と判断できる状況になったときに非常放送を行うようにする。【解決手段】  消火ヘッド２が接続された二次側配管１の基端側に流水検知装置３を設け、その流水検知装置の一次側に一次側配管１２を介して給水源１４を設けた消火設備において、一次側配管の圧力低下を検知して、圧力低下信号を出力する圧力スイッチ１９と、流水検知装置の流水を検知して、流水信号を出力する圧力スイッチ４とを備え、２つの圧力スイッチ４，１９により、圧力低下信号と流水信号の両方が入力されるとき、非常放送設備２０の非常放送を行う。【選択図】図１
2007268117.tif 000002
【特許請求の範囲】
【請求項１】
消火ヘッドが接続された二次側配管の基端側に流水検知装置を設け、該流水検知装置の一次側に一次側配管を介して給水源を設けた消火設備において、
前記一次側配管の圧力低下を検知して、圧力低下信号を出力する圧力低下検知手段と、
前記流水検知装置の流水を検知して、流水信号を出力する流水検知手段とを備え、
前記圧力低下信号と前記流水信号の両方が入力されるとき、非常放送設備の非常放送を行うことを特徴とする消火設備。
【発明の詳細な説明】
【技術分野】
【０００１】
本発明は、消火設備に関し、特に、消火設備から信号によって連動する非常放送設備を備えた消火設備に関するものである。
【背景技術】
【０００２】
従来、建物における火災時の避難誘導の非常放送システムが特許文献１に記載されている。このシステムは、自動火災報知設備の火災感知器からの火災信号を火災受信機が受け、そして火災受信機が、非常放送設備にその火災信号を移報して、避難誘導などの非常放送を行うものである。
【０００３】
自動火災報知設備が設置されていない建物では、非常放送設備に連動させるための信号として、特許文献２に示されるような消火設備の流水検知装置（自動警報弁）の圧力スイッチを使用することが考えられる。この圧力スイッチは、二次側配管に接続したスプリンクラヘッドの動作により流水検知装置のクラッパが開放する際、信号取り出し用の管路に水が流れると、水圧がかかってＯＮし、流水信号を出力する。この流水信号は、火災時のスプリンクラヘッドが動作することで、出力されるものであるから火災感知器の火災信号と基本的に同じである。
【特許文献１】特開平１１−２２３５５７号公報
【特許文献２】特開２００１−３４０４８４号公報
【発明の開示】
【発明が解決しようとする課題】
【０００４】
流水検知装置の圧力スイッチは、クラッパからの漏れやオートドリップの詰りによっても圧力が加わって、スイッチが働いてしまうということがある。この場合、流水信号に連動して非常放送を行うようにしてあると、火災でないにも関わらず、非常放送設備により非常放送が行われ、館内の人を避難させてしまうという事態が発生する。
【０００５】
そこで、本発明は、流水検知装置の異常によって非常放送が行われるのを防止し、確実に火災と判断できる状況になったときに非常放送を行うようにすることを目的とする。
【課題を解決するための手段】
【０００６】
本発明は、消火ヘッドが接続された二次側配管の基端側に流水検知装置を設け、該流水検知装置の一次側に一次側配管を介して給水源を設けた消火設備において、一次側配管の圧力低下を検知して、圧力低下信号を出力する圧力低下検知手段と、流水検知装置の流水を検知して、流水信号を出力する流水検知手段とを備え、圧力低下信号と前記流水信号の両方が入力されるとき、非常放送設備の非常放送を行うことを特徴とするものである。
【発明の効果】
【０００７】
本発明は以上のように構成され、流水検知装置の流水信号と、配管内の圧力低下信号の両方がそろったときに、非常放送設備の非常放送を行うようにした。このため、流水検知装置が故障、又は流水検知装置に異常が生じて、流水信号を出力したとしても、配管内が減圧して圧力低下信号を出力しない限りは、非常放送は行われず、非火災による非常放送が行われるのを防止できる。
【発明を実施するための最良の形態】
【０００８】
以下、本発明の実施の形態を、図面を使用して説明する。図１は本実施形態の消火設備のシステム図である。図において、１は消火ヘッドとしての閉鎖型スプリンクラヘッド２が接続された二次側配管で、内部は加圧された水によって充水されている。３は二次側配管１の基端側に設けられた流水検知装置である。流水検知装置３は、流水を検知して、流水信号を出力する流水検知手段を備え、この流水検知手段は圧力スイッチ４で構成される。この流水検知装置３は、二次側配管１内の加圧水がスプリンクラヘッド２から流出するときに、その流れ、つまり配管１内に生じる流水現象を圧力スイッチ４で検知して後述の制御盤１０に流水信号を出力する。
【０００９】
１２は流水検知装置３の一次側に接続された一次側配管で、その基端側には、消火ポンプ１３を介して給水源となる水槽１４が設けられる。１７は一次側配管１２に接続された圧力空気槽１７で、配管１、１２内を所定の圧力に加圧維持するものである。圧力空気槽１７には、圧力スイッチ１９が接続されている。この圧力スイッチ１９は、圧力低下検知手段の一例で、スプリンクラヘッド２の開放などにより、一次側配管１２内が減圧すると、その圧力低下を検知して、圧力低下信号を出力する。なお１５は消火ポンプ１３の起動を制御するポンプ始動盤である。
【００１０】
１０は制御盤で、流水検知装置３の圧力スイッチ４からの流水信号を受信して、その旨を警報表示するものである。また圧力空気槽１７の圧力スイッチ１９とも信号線を介して接続されており、圧力スイッチ１９からの圧力低下信号を受信する。制御盤１０は、ＡＮＤ回路等からなる制御部を備えており、ＡＮＤ回路は、圧力スイッチ１９の圧力低下信号と、圧力スイッチ４の流水信号の両方が入力されるとき、後述する非常放送設備に放送起動信号を出力する。２０は非常放送設備で、信号線を介して、放送を行うためのスピーカ２１が接続されている。スピーカ２１は、詳細には記載しないが、スプリンクラヘッド２が設置される防護領域に、各階毎に複数個設けられる。この非常放送設備２０は、制御盤１０からの放送起動信号を受信すると、非常放送を行う。なお、制御盤１０に設けたＡＮＤ回路は、非常放送設備２０に設けてもよく、この場合には、圧力スイッチ１９の圧力低下信号と、圧力スイッチ４の流水信号がそれぞれ非常放送設備２０に入力されて、それら信号が両方入力されるとき、非常放送を行わせる。
【００１１】
次に、スプリンクラヘッド２が、火災により開放して放水する場合について説明する。スプリンクラヘッド２が火災の熱を感知した開放すると、二次側配管１内に充水されていた加圧水がスプリンクラヘッド２から流出する。これにより流水検知装置３の図示しないクラッパが開放して圧力スイッチ４に水圧がかかり、圧力スイッチ４により流水現象が検知され、制御盤１０に流水信号を出力する。
【００１２】
続いて一次側配管１２内の水が二次側配管１へと流れることで、一次側配管１２内の圧力が低下して、その圧力低下を圧力スイッチ１９が検出して、制御盤１０に圧力低下信号を出力する。また圧力スイッチ１９は、ポンプ始動盤１５にも圧力低下信号を出力する。ここで、ポンプ始動盤１５では、配管内の圧力が低下したことを検知して、ポンプ起動信号を出力してポンプ１３を起動する。ポンプ１３の起動に伴い、水槽１４からの水がスプリンクラヘッド２に供給され、放水を行う。
【００１３】
一方、制御盤１０は、ＡＮＤ回路からなる制御部に、圧力スイッチ４の流水信号と圧力スイッチ１９の圧力低下の信号が両方入力するので、非常放送設備２０に放送起動信号を出力する。そして非常放送設備２０は、非常放送を行う。つまり、館内の人に向けて、火災が発生したので避難を指示する内容の放送をスピーカ２１から出力する。
【００１４】
本発明は以上のように構成され、配管内の圧力低下の信号と、流水検知装置の流水信号が両方そろうという確実に火災と判断できる状況になったときに非常放送を行うようにした。従って、流水検知装置３が故障したり、又は流水検知装置３に異常が生じたりして、流水信号を出力したとしても、非常放送は行わないので、非火災により非常放送が行われるのを防止できる。
【００１５】
本実施形態においては、制御盤１０にＡＮＤ回路を設けると共に、圧力空気槽１７の圧力スイッチ１９からの信号を受信する手段を追加するという軽微な変更で、既存の設備にも簡単に対応することができる。
【図面の簡単な説明】
【００１６】
【図１】本発明の消火設備のシステム図である。
【符号の説明】
【００１７】
１ 二次側配管、 ２ スプリンクラヘッド、３ 流水検知装置、
４ 圧力スイッチ、 ５ 火災感知器、 １０ 制御盤、
１２ 一次側配管、 １３ 消火ポンプ、 １４ 水槽、
１５ ポンプ始動盤、 １７ 圧力空気槽、 １９ 圧力スイッチ、
２０  非常放送設備、  ２１  スピーカ、  ｔｔ
【図１】
2007268117.tif 000003